(57)【要約】【課題】従来よりも防水性に優れたインターホン機器を提供する。【解決手段】本体ケース内に、操作孔２２を囲む円筒状の本体３３と、本体３３内に位置し、前側から操作突起１２の先端が嵌入する有底筒状の嵌入部３４と、弾性変形可能な薄肉状に成形され、本体３３の内周面と嵌入部３４の外周面との間を閉塞する弾性部３５とを有するゴム製の防水部材３２を、本体３３の前端を前ケース２の内面に当接させた状態で設けている。そして、呼出ボタン７を押し込み操作すると嵌入部３４が後方へ移動し、嵌入部３４の後端によりスイッチ２９が操作されるようにした。【選択図】図６
2020080524.tif 000002
【特許請求の範囲】
【請求項１】
本体ケースの前面に操作孔が設けられているとともに、前記操作孔を介して前記本体ケース内へ突出する操作突起を備えたボタンが、前記本体ケースの前面に押し込み操作可能に設けられており、
前記ボタンを押し込み操作すると、前記本体ケース内で前記ボタンの後方に位置するスイッチが操作されるインターホン機器であって、
前記本体ケース内に、前記操作孔を囲む筒状の本体と、前記本体内に位置し、前側から前記操作突起の先端が嵌入可能な有底筒状の嵌入部と、弾性変形可能な薄肉状に成形され、前記本体の内周面と前記嵌入部の外周面との間を閉塞する弾性部とを有するゴム製の防水部材が、前記本体の前端を前記本体ケースの内面に当接させた状態で設けられており、
前記ボタンを押し込み操作すると前記嵌入部が後方へ移動し、前記嵌入部の後端により前記スイッチが操作されることを特徴とするインターホン機器。
【発明の詳細な説明】
【技術分野】
【０００１】
本発明は、たとえば玄関の壁面に設置され、来訪者により呼出操作されるインターホン子機等といったインターホン機器に関するものである。
【背景技術】
【０００２】
従来、インターホン機器には、ユーザーが押し込み操作する種々のボタンが設けられている。たとえば玄関の壁面に設置されるインターホン子機には、来訪者が居住者を呼び出す際に操作する呼出ボタンが設けられている。そして、そのようなボタンを設けるにあたっては、ボタン部からの本体ケース内への水の浸入が問題となる。そこで、たとえば特許文献１に記載されているように、本体ケースに開設する開口の数や面積を低減することにより防水性の向上を図ったインターホン機器が考案されている。
【先行技術文献】
【特許文献】
【０００３】
【特許文献１】特開２００９−２２５３０７号公報
【発明の概要】
【発明が解決しようとする課題】
【０００４】
しかしながら、近年、特許文献１に記載のインターホン機器よりも防水性に優れたインターホン機器が求められている。
【０００５】
そこで、本発明は、上記問題に鑑みなされたものであって、従来よりも防水性に優れたインターホン機器を提供しようとするものである。
【課題を解決するための手段】
【０００６】
上記目的を達成するために、本発明は、本体ケースの前面に操作孔が設けられているとともに、操作孔を介して本体ケース内へ突出する操作突起を備えたボタンが、本体ケースの前面に押し込み操作可能に設けられており、ボタンを押し込み操作すると、本体ケース内でボタンの後方に位置するスイッチが操作されるインターホン機器であって、本体ケース内に、操作孔を囲む筒状の本体と、本体内に位置し、前側から操作突起の先端が嵌入する有底筒状の嵌入部と、弾性変形可能な薄肉状に成形され、本体の内周面と嵌入部の外周面との間を閉塞する弾性部とを有するゴム製の防水部材が、本体の前端を本体ケースの内面に当接させた状態で設けられており、ボタンを押し込み操作すると嵌入部が後方へ移動し、嵌入部の後端によりスイッチが操作されることを特徴とする。
【発明の効果】
【０００７】
本発明によれば、本体ケース内に、操作孔を囲む筒状の本体と、本体内に位置し、前側から操作突起の先端が嵌入する有底筒状の嵌入部と、弾性変形可能な薄肉状に成形され、本体の内周面と嵌入部の外周面との間を閉塞する弾性部とを有するゴム製の防水部材を、本体の前端を本体ケースの内面に当接させた状態で設けている。そして、ボタンを押し込み操作すると嵌入部が後方へ移動し、嵌入部の後端によりスイッチが操作されるようにした。したがって、ボタン周りに関しては、本体、嵌入部、及び弾性部によって、防水部材よりも前側の空間と後側の空間とが完全に仕切られるため、従来よりも防水性に優れたインターホン機器とすることができる。
【図面の簡単な説明】
【０００８】
【図１】インターホン子機を前方から示した説明図である。
【図２】インターホン子機を側方から示した説明図である。
【図３】化粧パネルが取り外されたインターホン子機を前方から示した説明図である。
【図４】分解状態にあるインターホン子機を前側から示した斜視説明図である。
【図５】分解状態にあるインターホン子機を後側から示した斜視説明図である。
【図６】呼出ボタン部分におけるインターホン子機の水平断面を下方から示した説明図である。
【図７】放熱板部分におけるインターホン子機の水平断面を下方から示した説明図である。
【発明を実施するための形態】
【０００９】
以下、本発明の一実施形態となるインターホン子機について、図面にもとづき詳細に説明する。
【００１０】
図１は、インターホン子機１を前方から示した説明図である。図２は、インターホン子機１を側方から示した説明図である。図３は、化粧パネル１０が取り外されたインターホン子機１を前方から示した説明図である。図４は、分解状態にあるインターホン子機１を前側から示した斜視説明図である。図５は、分解状態にあるインターホン子機１を後側から示した斜視説明図である。図６は、呼出ボタン７部分におけるインターホン子機１の水平断面を下方から示した説明図である。図７は、放熱板４１部分におけるインターホン子機１の水平断面を下方から示した説明図である。
【００１１】
インターホン子機１は、前側に配置される前ケース２と、前ケース２の後面側に組み付けられる後ケース３とで構成される本体ケースを有している。この本体ケースの前面上部には、通話のためのマイク部６及びスピーカ部８が設けられている一方、前面右下部には、来訪者が居住者を呼び出す際に押し込み操作する呼出ボタン７が設けられている。そして、このようなインターホン子機１は、住戸の玄関の壁面等に設置されており、来訪者によって呼出ボタン７が押し込み操作されると、住戸内に設置されているインターホン親機（図示せず）を呼び出す。また、インターホン親機側で応答操作がされたことをもって、インターホン親機との間で通話可能となる。なお、１０は、マイク部６やスピーカ部８、呼出ボタン７等を露出させつつ、本体ケースの前面を覆うように取り付けられる金属製の化粧パネルである。
【００１２】
ここで、本発明の要部となるインターホン子機１における呼出ボタン７周りの構造について説明する。
呼出ボタン７は、前面が操作面となる円板状の操作部１１と、操作部１１の中央から後方へ突設された操作突起１２と、操作部１１の外周縁から後方へ立設された周壁部１３と、周壁部１３の後端から径方向外側へ突設された鍔部１４とを有する。一方、前ケース２の前面には、後方へ凹んだ凹部２１が設けられており、当該凹部２１内に、操作突起１２を貫通させるための操作孔２２が穿設されている。また、操作孔２２の開口縁に沿って、前方へ突出する円筒部２５が設けられている一方、円筒部２５の周囲には、更に後方へ凹んだ収容部２４が設けられており、該収容部２４及び円筒部２５を利用して、呼出ボタン７を初期位置側へ付勢しながら保持するコイルバネ２３が取付可能となっている。加えて、操作部１１及び周壁部１３を挿通可能な挿通孔２６を有する挟持板２７が、凹部２１を前方から覆うように前ケース２へ取付可能となっている。
【００１３】
一方、前ケース２の後面には、後方へ突出するフランジ２８が、操作孔２２と同心円状で且つ操作孔２２を囲むように周設されている。さらに、前ケース２の後面には、スイッチ２９が搭載された基板３０ａやインターホン子機１の主たる動作（たとえばインターホン親機との間での通話動作等）を制御するメイン基板３０ｂ等の各種基板が前面に配置されてなる基板部材３１が組み付け可能となっており、前ケース２への組み付け時に、スイッチ２９が操作孔２２の中心に露出するようになっている。そして、当該スイッチ２９の箇所において、前ケース２と基板部材３１との間に防水部材３２を取り付けることになる。
【００１４】
防水部材３２は、ゴム（たとえばシリコンゴム）製の部材であって、内径がフランジ２８位置での径と略同径とされた円筒状の本体３３、本体３３内に設けられる嵌入部３４、及び本体３３と嵌入部３４とを連結する弾性部３５を有する。嵌入部３４は、前側から操作突起１２が嵌入可能な有底円筒状（前側は開口され、後側は閉塞された円筒状）に成形され、本体３３と同心円となるように、且つ、後端が本体３３の後端よりも前方に位置するように配されている。弾性部３５は、弾性変形自在な薄肉状とされており、本体３３の内周面と嵌入部３４の外周面との間を閉塞するように設けられている。
【００１５】
上記防水部材３２の取り付けに際しては、本体３３内にフランジ２８を位置させてフランジ２８を外側から囲みつつ、前ケース２の内面（前ケース２の後面）に本体３３の前端を当接させて、防水部材３２を配置する。それから、前ケース２の後面側に基板部材３１を組み付けることにより、前ケース２と基板部材３１とにより前後から挟持される格好で、防水部材３２を本体ケース内に取り付けることができる。そして、当該取付状態にあっては、本体３３、嵌入部３４、及び弾性部３５によって、防水部材３２よりも前側の空間と後側の空間とが完全に仕切られている。また、嵌入部３４はスイッチ２９の前方に位置しており、呼出ボタン７が押し込み操作されると、弾性部３５が変形して嵌入部３４が後側へ移動し、その後端でスイッチ２９をＯＮ／ＯＦＦ操作するようになっている。なお、呼出ボタン７に対する押し込み操作が解除されると、呼出ボタン７はコイルバネ２３の弾性力によって押し込み操作前の初期位置へ復帰し、嵌入部３４は弾性部３５の弾性力によって押し込み操作前の位置へ復帰する。
【００１６】
また、呼出ボタン７の取り付けについて説明すると、本体ケースを組み立てた後、前ケース２の前側から取り付けることができる。つまり、コイルバネ２３を介在させつつ、操作孔２２を介して嵌入部３４内へ操作突起１２を嵌入させる。その後、呼出ボタン７の前側から、挿通孔２６内へ操作部１１及び周壁部１３を挿通させつつ挟持板２７を前ケース２にネジ止めすれば、鍔部１４が前ケース２の前面と挟持板２７の後面とにより前後から挟持されて、呼出ボタン７の取り付けは完了となる。
【００１７】
次に、インターホン子機１における放熱構造について説明する。
前ケース２の後面には、マイク部６を構成するマイク１５やスピーカ部８を構成するスピーカ１６が取り付けられている。そして、マイク１５及びスピーカ１６と基板部材３１との前後方向での隙間に、本体ケース内の熱を本体ケース外へ放熱するための放熱板４１が取り付けられている。放熱板４１は、左右方向へ長いアルミ製の金属板であって、左端部は前側へ折り曲げられており、本体ケース内への取付状態にあっては、その折り曲げ部の先端は、前ケース２の前面左端に開設されている放熱用開口４２内に露出する。なお、放熱用開口４２は、前ケース２の前面に貼着される絶縁シート（たとえばＰＥＴ等）４３により覆われる。また、４４は、放熱板４１と基板部材３１との間に介在され、基板部材３１で生じる熱を効率よく放熱板４１に伝えるための伝熱シートである。
【００１８】
以上のような構成を有するインターホン子機１によれば、本体ケース内に、操作孔２２を囲む円筒状の本体３３と、本体３３内に位置し、前側から操作突起１２の先端が嵌入する有底筒状の嵌入部３４と、弾性変形可能な薄肉状に成形され、本体３３の内周面と嵌入部３４の外周面との間を閉塞する弾性部３５とを有するゴム製の防水部材３２を、本体３３の前端を前ケース２の内面に当接させた状態で設けている。そして、呼出ボタン７を押し込み操作すると嵌入部３４が後方へ移動し、嵌入部３４の後端によりスイッチ２９が操作されるようにした。したがって、呼出ボタン７周りに関しては、本体３３、嵌入部３４、及び弾性部３５によって、防水部材３２よりも前側の空間と後側の空間とが完全に仕切られるため、従来よりも防水性に優れたインターホン子機１とすることができる。
【００１９】
また、前ケース２の前面に放熱用開口４２を開設する一方、本体ケース内における基板部材３１の前方に、端部が前方へ折り曲げられてなるアルミ製の放熱板４１を設けており、放熱板４１の折り曲げられた端部の先端を、放熱用開口４２内に露出させている。したがって、基板部材３１から発生した熱を本体ケースの前面側に逃がすことができ、従来よりも高い放熱効果を期待することができる。
【００２０】
なお、本発明に係るインターホン機器は、上記実施形態の態様に何ら限定されるものではなく、インターホン機器の全体的な構成は勿論、防水部材に係る構成等についても、本発明の趣旨を逸脱しない範囲で、必要に応じて適宜変更することができる。
【００２１】
たとえば上記実施形態では、防水部材の本体を円筒状としているが、角筒状に成形しても何ら問題はないし、１つの本体ケースに対して複数のボタン及び防水部材を設けてインターホン機器を構成することも当然可能である。
また、上記実施形態ではボタンを呼出ボタンとしているが、インターホン機器の設定のためのボタンに係り、本発明を適用することも可能である。
さらに、上記実施形態では前ケースと後ケースとを組み付けて本体ケースを構成しているが、３部材以上のケース部材を組み付けて本体ケースを構成しても何ら問題はない。
【００２２】
さらにまた、上記実施形態では、防水部材を前ケースと基板部材とにより前後から挟持して保持するとしているが、前ケースの内面に防水部材をネジ止めする等、防水部材の保持に係る構成も適宜変更可能である。
加えて、上記実施形態ではインターホン子機について説明しているが、たとえば居室内に設置されるインターホン親機等の他のインターホン機器であってもよい。
【符号の説明】
【００２３】
１・・インターホン子機（インターホン機器）、２・・前ケース（本体ケース）、３・・後ケース（本体ケース）、７・・呼出ボタン（ボタン）、１１・・操作部、１２・・操作突起、２２・・操作孔、２９・・スイッチ、３０ａ・・基板、３１・・基板部材、３２・・防水部材、３３・・本体、３４・・嵌入部、３５・・弾性部、４１・・放熱板、４２・・放熱用開口。
【図１】
2020080524.tif 000003
【図２】
2020080524.tif 000004
【図３】
2020080524.tif 000005
【図４】
2020080524.tif 000006
【図５】
2020080524.tif 000007
【図６】
2020080524.tif 000008
【図７】
2020080524.tif 000009